(57)【要約】      （修正有）【課題】デマンドレスポンスに参加が可能になるように蓄電装置における充電量を適切に制御する充放電制御装置及び充放電制御方法を提供する。【解決手段】制御システムにおいて、施設１００の充放電制御装置１３０は、夜間時間帯において電力系統１０によって供給される電力を蓄電装置１１０に充電し、昼間時間帯において発電装置１２０の余剰電力を蓄電装置１１０に充電し、電力系統１０からの要求に応じて電力系統１０との間の潮流量及び逆潮流量を制御する。充放電制御装置１３０は、翌日の気象予測情報と昼間時間帯における過去の消費電力情報と、蓄電装置１１０の残量と、に基づいて、夜間時間帯における充電量を算出する算出部と、夜間時間帯において、算出された夜間時間帯における充電量分だけ蓄電装置１１０に電力を充電するように制御する制御部とを有する。【選択図】図１
2020089200.tif 000002
【特許請求の範囲】
【請求項１】
夜間時間帯において電力系統によって供給される電力を蓄電装置に充電し、昼間時間帯において発電装置の余剰電力を前記蓄電装置に充電し、電力系統からの要求に応じて前記電力系統との間の潮流量及び逆潮流量を制御することができる充放電制御装置であって、
翌日の気象予測情報と前記昼間時間帯における過去の消費電力情報と前記蓄電装置の残量とに基づいて、前記夜間時間帯における充電量を算出する算出部と、
前記夜間時間帯において、算出された前記夜間時間帯における充電量分だけ前記蓄電装置に前記電力を充電するように制御する制御部とを有する、充放電制御装置。
【請求項２】
前記算出部は、更に翌日の消費電力の予測情報に基づいて、前記夜間時間帯における充電量を算出する、請求項１に記載の充放電制御装置。
【請求項３】
夜間時間帯において電力系統によって供給される電力を蓄電装置に充電し、昼間時間帯において発電装置の余剰電力を前記蓄電装置に充電し、電力系統からの要求に応じて前記電力系統との間の潮流量及び逆潮流量を制御することができる充放電制御装置であって、
前記発電装置の発電予測情報と前記昼間時間帯における過去の消費電力情報と前記蓄電装置の残量とに基づいて、所定時刻において前記蓄電装置が満充電になるための前記余剰電力の充電量を算出する算出部と、
前記要求が届く前の一定期間において、算出された前記余剰電力の充電量分だけ前記蓄電装置に前記余剰電力を充電するように制御する制御部とを有する、充放電制御装置。
【請求項４】
前記所定時刻は、前記要求が届き得る時間に基づいて決定される、請求項３に記載の充放電制御装置。
【請求項５】
前記算出部は、前記一定期間の電力に基づいて定められるベースラインが所定範囲内に収まるように前記余剰電力の充電量を算出する、請求項３又は４に記載の充放電制御装置。
【請求項６】
前記算出部は、前記一定期間において、定格電力以下の一定値に前記余剰電力の充電量を制限する、請求項３又は４に記載の充放電制御装置。
【請求項７】
電力系統からの要求に応じて前記電力系統との間の潮流量及び逆潮流量を制御する工程Ａと、
夜間時間帯において電力系統によって供給される電力を蓄電装置に充電する工程Ｂと、
昼間時間帯において発電装置の余剰電力を前記蓄電装置に充電する工程Ｃと、
翌日の気象予測情報と前記昼間時間帯における過去の消費電力情報と前記蓄電装置の残量とに基づいて、前記夜間時間帯における充電量を算出する工程Ｄとを有し、
前記工程Ｃにおいて、前記夜間時間帯において、工程Ｄにおいて算出された前記夜間時間帯における充電量分だけ前記蓄電装置に前記電力を充電するように制御する、充放電制御方法。
【発明の詳細な説明】
【技術分野】
【０００１】
本発明は、充放電制御装置及び充放電制御方法に関する。
【背景技術】
【０００２】
２０１９年以降、固定価格買取制度（ＦＩＴ：Ｆｅｅｄ-ｉｎ  Ｔａｒｉｆｆ）の買取期間が終了する住宅用の太陽光発電（ＰＶ：Ｐｈｏｔｏｖｏｌｔａｉｃｓ）装置が大量に発生する。その際、蓄電装置と太陽光発電装置とを併用している家庭では、昼間時間帯（日中）において太陽光発電装置の余剰電力（太陽光発電装置の発電電力から消費電力を除いた電力）を蓄電装置に充電し、夜間時間帯において放電（消費）を行う運用(以後、余剰充電モード)が多くなると考えられる。
【０００３】
また、太陽光発電装置と蓄電装置とを併用している家庭は、デマンドレスポンス（ＤＲ：Ｄｅｍａｎｄ  Ｒｅｓｐｏｎｓｅ）に参加することで、インセンティブを得ることができる。その際、料金体系によるが、デマンドレスポンスへの参加によってインセンティブを得るには、蓄電装置に放電可能な電力がある程度残っている必要がある。
【先行技術文献】
【特許文献】
【０００４】
【特許文献１】特開昭６０-２５６８２４号公報
【特許文献２】特許５８７７３４６号
【発明の概要】
【発明が解決しようとする課題】
【０００５】
しかしながら、余剰充電モードでは、昼間時間帯の天候によって昼間時間帯における蓄電装置への充電量が大きく異なってくる。特に、曇りや雨の場合では、昼間時間帯における太陽光発電装置の発電がほとんど見込めず、太陽光発電装置の余剰電力の蓄電装置への充電が期待できないため、デマンドレスポンスへの参加が難しくなる場合があった。
【０００６】
そこで、本発明は、上述の課題に鑑みてなされたものであり、デマンドレスポンスに参加が可能になるように蓄電装置における充電量を適切に制御することができる充放電制御装置及び充放電制御方法を提供することを目的とする。
【課題を解決するための手段】
【０００７】
本開示の第１の特徴は、夜間時間帯において電力系統によって供給される電力を蓄電装置に充電し、昼間時間帯において発電装置の余剰電力を前記蓄電装置に充電し、電力系統からの要求に応じて前記電力系統との間の潮流量及び逆潮流量を制御することができる充放電制御装置であって、翌日の気象予測情報と前記昼間時間帯における過去の消費電力情報と前記蓄電装置の残量とに基づいて、前記夜間時間帯における充電量を算出する算出部と、前記夜間時間帯において、算出された前記夜間時間帯における充電量分だけ前記蓄電装置に前記電力を充電するように制御する制御部とを有することを要旨とする。
【０００８】
本開示の第２の特徴は、夜間時間帯において電力系統によって供給される電力を蓄電装置に充電し、昼間時間帯において発電装置の余剰電力を前記蓄電装置に充電し、電力系統からの要求に応じて前記電力系統との間の潮流量及び逆潮流量を制御することができる充放電制御装置であって、前記発電装置の発電予測情報と前記昼間時間帯における過去の消費電力情報と前記蓄電装置の残量とに基づいて、所定時刻において前記蓄電装置が満充電になるための前記余剰電力の充電量を算出する算出部と、前記要求が届く前の一定期間において、算出された前記余剰電力の充電量分だけ前記蓄電装置に前記余剰電力を充電するように制御する制御部とを有することを要旨とする。
【０００９】
本開示の第３の特徴は、電力系統からの要求に応じて前記電力系統との間の潮流量及び逆潮流量を制御する工程Ａと、夜間時間帯において電力系統によって供給される電力を蓄電装置に充電する工程Ｂと、昼間時間帯において発電装置の余剰電力を前記蓄電装置に充電する工程Ｃと、翌日の気象予測情報と前記昼間時間帯における過去の消費電力情報と前記蓄電装置の残量とに基づいて、前記夜間時間帯における充電量を算出する工程Ｄとを有し、前記工程Ｃにおいて、前記夜間時間帯において、工程Ｄにおいて算出された前記夜間時間帯における充電量分だけ前記蓄電装置に前記電力を充電するように制御することを要旨とする。
【発明の効果】
【００１０】
本発明の実施形態によれば、デマンドレスポンスに参加が可能になるように蓄電装置における充電量を適切に制御することができる充放電制御装置及び充放電制御方法を提供することができる。
【図面の簡単な説明】
【００１１】
【図１】図１は、一実施形態に係る制御システムの全体構成の一例を示す図である。
【図２】図２は、一実施形態に係る充放電制御装置の構成の一例を示す図である。
【図３】図３は、一実施形態に係る充放電制御装置の動作の一例を示すフローチャートである。
【図４】図４は、一実施形態に係る制御サーバの構成の一例を示す図である。
【図５】図５は、一実施形態に係る充放電制御装置の動作の一例を示すフローチャートである。
【発明を実施するための形態】
【００１２】
以下、本発明の実施形態に係る制御システムについて図面を参照しながら説明する。なお、以下の図面の記載において、同一又は類似の部分には、同一又は類似の符号を付している。
【００１３】
（第１実施形態）
以下、図１〜図３を参照して、本発明の第１実施形態について説明する。図１は、本実施形態に係る制御システム１の構成の一例を示す図である。図１に示すように、制御システム１は、複数の施設１００と、制御サーバ２００とを有する。各施設１００及び制御サーバ２００は、通信ネットワーク２０に接続されている。通信ネットワーク２０は、インターネットを含んでもよいし、ＶＰＮ（Ｖｉｒｔｕａｌ  Ｐｒｉｖａｔｅ  Ｎｅｔｗｏｒｋ）等の専用回線を含んでもよい。
【００１４】
図１では、複数の施設１００として、施設１００Ａ乃至１００Ｃが例示されている。１つの施設１００は、１つの需要家に対応する。各施設１００は、電力系統１０に接続される。
【００１５】
電力系統１０から施設１００への電力の流れは「潮流」と称され、施設１００から電力系統１０への電力の流れは「逆潮流」と称される。電力系統１０は、電力会社から切り離された地域内の需要家間で電力融通する場合における需要家外の送電網であってもよい。
【００１６】
施設１００は、蓄電装置１１０と、発電装置１２０と、ＥＭＳ（Ｅｎｅｒｇｙ  Ｍａｎａｇｅｍｅｎｔ  Ｓｙｓｔｅｍ）１３０と、負荷１４０とを有する。
【００１７】
本実施形態において、発電装置１２０は、太陽光を利用して発電する太陽光発電装置である。
【００１８】
蓄電装置１１０は、ＥＭＳ１３０の制御下で充電及び放電を行う装置である。例えば、蓄電装置１１０は、リチウムイオン蓄電装置、鉛蓄電装置又はニッケル・水素蓄電装置等である。
【００１９】
なお、蓄電装置１１０が放電する電力は、施設１００内の負荷機器に供給されてもよいし、電力系統１０に供給されてもよい。また、本実施形態において、発電装置１２０によって発電された電力を売電し、施設１００内の負荷機器を蓄電装置１１０の放電により賄う「押し上げモード」にて運用されてもよい。
【００２０】
蓄電装置１１０は、例えば、電力系統１０によって供給される電力或いは発電装置の余剰電力を充電することができる。
【００２１】
ＥＭＳ１３０は、施設１００（需要家）の電力を管理する装置である。具体的には、ＥＭＳ１３０は、施設１００の電力需要に応じて、当該施設１００の蓄電装置１１０の充放電を制御する制御計画を作成し、作成した制御計画に応じて充放電要求を制御サーバ２００に送信する。また、ＥＭＳ１３０は、後述する充放電指示に従って蓄電装置１１０を制御する。
【００２２】
図１において、発電装置１２０の電力出力部は、施設１００内で蓄電装置１１０の電力線と接続されており、負荷１４０は、施設１００内で蓄電装置１１０の電力線及びＥＭＳ１３０と接続されている。なお、負荷１４０は、ＥＭＳ１３０と必ずしも接続されていなくてもよい。
【００２３】
制御サーバ２００は、施設１００の蓄電装置１１０の充放電を統合的に制御する装置である。制御サーバ２００は、異なる需要家に属する複数の蓄電装置１１０の充放電を制御する。例えば、制御サーバ２００は、発電事業者、送配電事業者又は小売事業者等の電力事業者により管理される。
【００２４】
具体的には、制御サーバ２００は、ＥＭＳ１３０から受信する充放電要求に基づいて、当該充放電要求に対応する充電量又は放電量である要求充放電量を複数の蓄電装置１１０の少なくとも１つに割り当てる。
【００２５】
また、制御サーバ２００は、要求充放電量が割り当てられた蓄電装置１１０に対する制御を指示する充放電指示を、当該蓄電装置１１０に対応するＥＭＳ１３０に送信する。
【００２６】
ここで、制御サーバ２００は、デマンドレスポンスを発動させて、潮流量の制御を要求する潮流量制御要求（下げＤＲ）を送信してもよく、逆潮流量の制御を要求する逆潮流量制御要求（上げＤＲ）を送信してもよい。潮流量又は逆潮流量の制御度合いは、絶対値（例えば、○○ｋＷ）で表されてもよく、相対値（例えば、○○％）で表されてもよい。
【００２７】
本実施形態において、夜間時間帯の電気料金は、昼間時間帯（例えば、７:００〜２３:００）の電気料金よりも安いものとする。また、本実施形態において、発電装置１２０による売電料金は、昼間時間帯の電気料金よりも安いものとする。本実施形態では、ＥＭＳ１３０は、夜間時間帯において電力系統１０によって供給される電力を蓄電装置１１０に充電し、昼間時間帯において発電装置１２０の余剰電力を蓄電装置１１０に充電するものとする。また、本実施形態では、蓄電装置１１０は、発電装置１２０の余剰電力を充電している間は、放電を行わないものとする。
【００２８】
また、本実施形態では、夜間時間帯では、蓄電装置１１０は、放電を行わない。そのため、夜間時間帯における充電開始時の蓄電装置１１０の残量（蓄電装置１１０に放電可能な電力）を減らすことはできないものとする。
【００２９】
さらに、本実施形態では、日によって、昼間時間帯における消費電力が異なるため、夜間時間帯における電力系統１０によって供給される電力の蓄電装置１１０への充電開始時の蓄電装置１１０の残量は常に一定であるとは限らないものとする。
【００３０】
また、ＥＭＳ１３０は、電力系統１０（制御サーバ２００）からの要求（潮流量制御要求或いは逆潮流量制御要求）に応じて電力系統１０（制御サーバ２００）との間の潮流量及び逆潮流量を制御することができる。
【００３１】
図２に示すように、ＥＭＳ１３０は、通信部１３１と、データベース１３２と、制御部１３４とを有する。
【００３２】
通信部１３１は、通信モジュールによって構成されており、通信ネットワーク２０を介して、制御サーバ２００等の外部の通信機器との通信を行う。
【００３３】
データベース１３２は、メモリ及び/又はＨＤＤ等の記憶媒体によって構成されており、算出部１３３及び制御部１３４における制御及び処理に用いられる情報及びデータを記憶する。
【００３４】
制御部１３４は、ＣＰＵやＭＰＵ等の演算装置で構成されており、算出部１３３を有している。制御部１３４は、通信部１３１をインターフェイスとして、蓄電装置１１０や発電装置１２０に接続されており、蓄電装置１１０や発電装置１２０を制御する。なお、制御部１３４は、通信部１３１をインターフェイスとして制御サーバ２００にも接続される。
【００３５】
また、制御部１３４は、上述の潮流量制御要求を受信した場合で、かつ、かかる潮流量制御要求に応えると決定した場合には、以下のような制御を行う。
【００３６】
発電装置１２０の発電電力が消費電力よりも多い場合には、制御部１３４は、発電装置１２０の余剰電力の蓄電装置１１０への充電量を減らすように制御することで、かかる潮流量制御要求に応える。
【００３７】
一方、発電装置１２０の発電電力が消費電力よりも少ない場合には、発電装置１２０の余剰電力というものが発生しないので、消費電力から発電装置１２０の発電電力を除いた電力の分だけの電力を電力系統１０から買っていることになる。そのため、制御部１３４は、蓄電装置１１０を放電するように制御することで、かかる潮流量制御要求に応える。
【００３８】
ここで、制御サーバ２００とＥＭＳ１３０との間では、例えば、Ｏｐｅｎ  ＡＤＲ（Ａｕｔｏｍａｔｅｄ  Ｄｅｍａｎｄ  Ｒｅｓｐｏｎｓｅ）に準拠するプロトコル、或いは、独自の専用プロトコルを用いて、通信を行うことができる。
【００３９】
また、ＥＭＳ１３０と蓄電装置１１０又は発電装置１２０との間では、例えば、ＥＣＨＯＮＥＴ  Ｌｉｔｅに準拠するプロトコルを用いて、通信を行うことができる。
【００４０】
なお、制御サーバ２００と蓄電装置１１０又は発電装置１２０との間では、通信を行うことができない場合があるが、例えば、Ｏｐｅｎ  ＡＤＲに準拠するプロトコルを用いて通信を行うことができる場合もある。
【００４１】
上述の本実施形態における前提の下では、発電装置１２０の余剰電力が大きい場合、蓄電装置１１０の満充電によって、発電装置１２０の余剰電力を売電しなければならない。
【００４２】
また、上述の本実施形態における前提の下では、発電装置１２０の余剰電力が小さい場合、潮流量制御要求（下げＤＲ）に応えるための余地が小さかったり、蓄電装置１１０から放電される電力が不足したりする可能性がある。
【００４３】
算出部１３３は、夜間時間帯において電力系統１０によって供給される電力を蓄電装置１１０に充電する量（すなわち、夜間時間帯における充電量）を算出する。
【００４４】
具体的には、算出部１３３は、翌日の気象予測情報と昼間時間帯における過去の消費電力情報と蓄電装置１１０の残量とに基づいて、上述の夜間時間帯における充電量を算出する。
【００４５】
例えば、算出部１３３は、上述の翌日の気象予測情報として、翌日の気温（最高気温や最低気温）や日射量や気圧（最高気圧や変化量）等に係る予測情報を用いてもよい。
【００４６】
また、算出部１３３は、例えば、１２時間や２４時間といった所定の時間粒度の昼間時間帯における過去の消費電力情報を用いてもよい。さらに、算出部１３３は、例えば、１日や７日や３０日といった時間幅の昼間時間帯における過去の消費電力情報を用いてもよい。
【００４７】
また、算出部１３３は、蓄電装置１１０の残量として、夜間時間帯における電力系統１０によって供給される電力の蓄電装置１１０への充電開始時の蓄電装置１１０の残量を用いる。
【００４８】
例えば、算出部１３３は、以下の（式１）〜（式８）を用いて、夜間時間帯において電力系統１０によって供給される電力を蓄電装置１１０に充電する量（すなわち、夜間電力における充電量）を算出してもよい。
【００４９】
【数１】
2020089200.tif 000003
【００５０】
ここで、ロジスティック回帰によって、パラメータα、β、γ、δを推定するものとする。ここで、与える説明変数の数によってパラメータの数も異なるため、パラメータα、β、γ、δを可変長にしたパラメータ行列をｗとする。そして、翌日の発電装置１２０の余剰電力が多い場合及び少ない場合のデータセットを用意し、尤度関数Ｌが最大となるパラメータ行列ｗを算出する。
【００５１】
例えば、説明変数行列ｘに、日射量に係る予測情報、最高気温に係る予測情報、最低気温に係る予測情報、最高気圧に係る予測情報、蓄電装置１１０の残量、前日〜７日前の消費電力情報を入れた場合、ｋ＝１２となる。
【００５２】
また、算出部１３３は、更に翌日の消費電力の予測情報に基づいて、かかる夜間時間帯における充電量を算出してもよい。かかる特徴によれば、翌日の消費電力の予測情報を用いることで、より適切に、夜間時間帯における充電量を算出することができる。
【００５３】
算出部１３３は、各種データの一部又は全部について、データベース１３２から取得してもよいし、通信部１３１を介して外部サーバ等から取得してもよい。ここで、各種データには、翌日の気象予測情報や昼間時間帯における過去の消費電力情報や蓄電装置１１０の残量や翌日の消費電力の予測情報等が含まれる。
【００５４】
また、算出部１３３は、データベース１３２や外部サーバ等から取得した情報に基づいて、上述の各種データを算出してもよい。
【００５５】
その結果、制御部１３４は、夜間時間帯において、算出部１３３によって算出された夜間時間帯における充電量分だけ蓄電装置１１０に電力系統１０によって供給された電力を充電するように制御する。
【００５６】
以下、図３を参照して、本実施形態に係る充放電制御方法の一例について説明する。
【００５７】
ステップＳ１０１において、ＥＭＳ１３０は、翌日の気象予測情報や昼間時間帯における過去の消費電力情報や蓄電装置１１０の残量や翌日の消費電力の予測情報の各種データを取得する。
【００５８】
ステップＳ１０２において、ＥＭＳ１３０は、取得した各種データに基づいて、夜間電力における充電量を算出する。
【００５９】
ステップＳ１０３において、ＥＭＳ１３０は、算出した充電量を含む充電指示を蓄電装置１１０に送信する。
【００６０】
ステップＳ１０４において、蓄電装置１１０は、夜間時間帯において、かかる充電指示に含まれる充電量の分だけ、電力系統１０によって供給された電力の充電を開始する。
【００６１】
ステップＳ１０５において、ＥＭＳ１３０は、定期的に蓄電装置１１０に対して充電指示を送信する必要があるか否かについて判定する。Ｙｅｓの場合、本動作は、ステップＳ１０６に進み、Ｎｏの場合、本動作は、終了する。
【００６２】
ＥＭＳ１３０は、ステップＳ１０６において、所定期間が経過したと判定した場合に、ステップＳ１０７において、蓄電装置１１０が蓄電中であるか否かについて判定する。Ｙｅｓの場合、本動作は、ステップＳ１０８に進み、Ｎｏの場合、本動作は、終了する。ステップＳ１０８において、ＥＭＳ１３０は、蓄電装置１１０に対して、充電指示を送信する。
【００６３】
この結果、ＥＭＳ１３０は、蓄電装置１１０における充電開始前の１回だけでなく、蓄電装置１１０の充電中に、蓄電装置１１０に対して定期的に同じ充電指示を送信することができる。
【００６４】
かかる実施形態によれば、昼間時間帯における発電装置１２０の発電がほとんど見込めないため、発電装置１２０の余剰電力の蓄電装置１１０への充電が期待できず、発電装置１２０の余剰電力が小さくなると予想される場合であっても、夜間時間帯における充電量を適切に制御することで、夜間時間帯における充電が完了した際の蓄電装置１１０の残量が少なくなりすぎることを避けることができる。
【００６５】
その結果、潮流量制御要求（下げＤＲ）に応えるための余地を確保することができ、デマンドレスポンスへの参加（すなわち、潮流量制御要求や逆潮流量制御要求に応えること）を可能とすることができる。
【００６６】
また、かかる実施形態によれば、昼間時間帯における発電装置１２０の余剰電力の蓄電装置１１０への充電が開始される際に、蓄電装置１１０の残量が多く残っているという事態を回避することができる。
【００６７】
その結果、昼間時間帯における発電装置１２０の余剰電力を充電するための蓄電装置１１０の容量を確保することができず、直ぐに蓄電装置１１０が満充電になってしまい、安価な値段で発電装置１２０の余剰電力を売却しなくてはならなくなる可能性もあるという問題点を回避することができる。
【００６８】
（第２実施形態）
以下、図４を参照して、本発明の第２実施形態について、上述の第１実施形態及び第２実施形態との相違点に着目して説明する。
【００６９】
図４に示すように、本実施形態に係る制御サーバ２００は、通信部２０１と、データベース２０２と、制御部２０４とを有する。
【００７０】
通信部２０１は、通信モジュールによって構成されており、通信ネットワーク２０を介して、各施設１００内のＥＭＳ１３０や外部の通信機器との通信を行う。
【００７１】
データベース２０２は、メモリ及び/又はＨＤＤ等の記憶媒体によって構成されており、算出部２０３における処理に用いられる情報及びデータを記憶する。
【００７２】
制御部２０４は、ＣＰＵやＭＰＵ等の演算装置で構成されており、算出部２０３を有している。算出部２０３は、上述の算出部１３３と同様に、夜間時間帯において電力系統１０によって供給される電力を蓄電装置１１０に充電する量（すなわち、夜間電力における充電量）を算出する。
【００７３】
ここで、通信部２０１は、算出部２０３によって算出された夜間電力における充電量をＥＭＳ１３０に通知する。そして、ＥＭＳ１３０は、通知された充電量を含む充電指示を蓄電装置１１０に送信し、蓄電装置１１０は、夜間時間帯において、かかる充電指示に含まれる充電量の分だけ、電力系統１０によって供給された電力を充電する。
【００７４】
かかる実施形態によれば、各ＥＭＳ１３０に新たな機能を設けさせることなく、第１実施形態と同等の効果を得ることができる。
【００７５】
（第３実施形態）
以下、図５を参照して、本発明の第３実施形態について、上述の第２実施形態との相違点に着目して説明する。
【００７６】
一般的に、蓄電装置１１０が満充電になってしまった後において、発電装置１２０の余剰電力を全て売電してしまっている状態では、潮流量制御要求（下げＤＲ）に応える余地がない。したがって、発電装置１２０の発電電力の変動によってベースライン（ＢＬ：Ｂａｓｅ  Ｌｉｎｅ）が不安定になるという問題点があった。
【００７７】
ここで、ベースラインは、デマンドレスポンスが発動される前の一定期間の電力（消費電力又は発電装置１２０の余剰電力）に基づいて定められる。デマンドレスポンスの発動時における調整実績（削減電力）は、ベースラインと実際の電力（消費電力又は発電装置１２０の余剰電力）の差分によって求められる。
【００７８】
このような観点から、本実施形態では、発電装置１２０の余剰電力の全てを蓄電装置１１０への充電に回さずに、発電装置１２０の余剰電力の一部を売電することで（敢えて損をすることで）、蓄電装置１１０の満充電を回避する。
【００７９】
具体的には、制御サーバ２００の制御部２０４は、デマンドレスポンスが発動される前の一定期間（ベースラインの算出期間）において、施設１００における発電装置１２０の余剰電力の蓄電装置１１０への充電量を制御する。その結果、デマンドレスポンスの発動時に、各施設１００における蓄電装置１１０の充電可能量を確保でき、ベースラインの安定化を図ることができる。
【００８０】
ここで、制御サーバ２００は、各施設１００における蓄電装置１１０の充電可能量が不足している場合等の所定条件が満たされる場合にのみ、デマンドレスポンスが発動される前の一定期間において、発電装置１２０の余剰電力の蓄電装置１１０への充電量を制御してもよい。
【００８１】
算出部２０３は、発電装置１２０の発電予測情報と昼間時間帯における過去の消費電力情報と蓄電装置１１０の残量とに基づいて、所定時刻において蓄電装置１１０が満充電になるための発電装置１２０の余剰電力の充電量を算出する。
【００８２】
ここで、所定時刻は、例えば、昼間時間帯の終了時刻や日没時刻や最終のデマンドレスポンスの発動予定時刻等であってもよい。例えば、各施設１００との間で充電抑制制御の調整力を１８時までしか供出しない契約が締結されており持続時間が４時間と決まっている場合、最終のデマンドレスポンスの発動予定時刻は、１４時となる。すなわち、最終のデマンドレスポンスの発動予定時刻（所定時刻）は、デマンドレスポンスが発動され得る時間（すなわち、潮流量制御要求や逆潮流量制御要求が届き得る時間）に基づいて決定される。
【００８３】
なお、算出部２０３は、発電装置１２０の発電予測情報と昼間時間帯における過去の消費電力情報と蓄電装置１１０の残量の各種データの一部又は全部について、データベース２０２から取得してもよいし、通信部２０１を介して外部サーバ等から取得してもよい。
【００８４】
また、算出部２０３は、データベース２０２や外部サーバ等から取得した情報に基づいて、発電装置１２０の発電予測情報と昼間時間帯における過去の消費電力情報と蓄電装置１１０の残量の各種データを算出してもよい。
【００８５】
また、算出部２０３は、デマンドレスポンスが発動される前の一定期間において、ベースラインが所定範囲内に収まるように発電装置１２０の余剰電力の充電量を算出してもよい。
【００８６】
ここで、算出部２０３は、デマンドレスポンスが発動される前の一定期間において、発電量が安定しない施設１００の発電装置１２０の余剰電力については全て充電させるように発電装置１２０の余剰電力の充電量を算出してもよい。その結果、かかる施設１００の蓄電装置１１０に係るベースラインを安定させることができる。
【００８７】
また、算出部２０３は、各施設１００において達成可能な範囲を所定範囲としてもよい。
【００８８】
さらに、算出部２０３は、個々の施設１００における蓄電装置１１０に係るベースラインを安定させるのではなく、制御サーバ２００配下の施設１００における蓄電装置１１０全体としてベースラインを安定させるように、発電装置１２０の余剰電力の充電量を算出してもよい。
【００８９】
ここで、算出部２０３は、デマンドレスポンスが発動される前の一定期間において、定格電力以下の一定値に発電装置１２０の余剰電力の充電量を制限してもよい。かかる特徴によれば、より容易にベースラインを安定させることができる。
【００９０】
以下、図５を参照して、本実施形態に係る充放電制御方法の一例について説明する。
【００９１】
ステップＳ２０１において、制御サーバ２００は、発電装置１２０の発電予測情報と昼間時間帯における過去の消費電力情報と蓄電装置１１０の残量の各種データを取得する。
【００９２】
ステップＳ２０２において、制御サーバ２００は、デマンドレスポンスに応えることができる各施設１００における蓄電装置１１０の充電可能量が不足しているか否かについて判定する。Ｙｅｓの場合、本動作は、ステップＳ２０３に進み、Ｎｏの場合、本動作は、終了する。
【００９３】
ステップＳ２０３において、制御サーバ２００は、デマンドレスポンスが発動される前の一定期間において、施設１００における発電装置１２０の余剰電力の蓄電装置１１０への充電量を制御する。
【００９４】
具体的には、制御サーバ２００は、デマンドレスポンスが発動される前の一定期間において、所定時刻において満充電になるための発電装置１２０の余剰電力の充電量を算出し、かかる充電量を各施設１００のＥＭＳ１３０に通知する。そして、ＥＭＳ１３０は、通知された充電量を含む充電指示を蓄電装置１１０に送信し、蓄電装置１１０は、デマンドレスポンスが発動される前の一定期間において、かかる充電指示に含まれる充電量の分だけ発電装置１２０の余剰電力を充電する。
【００９５】
本実施形態によれば、デマンドレスポンスが発動される前の一定期間において、施設１００における発電装置１２０の余剰電力の蓄電装置１１０への充電量を制御することによって、デマンドレスポンスの発動時に各施設１００における蓄電装置１１０の充電可能量を確保でき、ベースラインの安定化を図ることができる。
【符号の説明】
【００９６】
１…制御システム
１０…電力系統
２０…通信ネットワーク
１００…施設
１１０…蓄電装置
１２０…発電装置
１３０…ＥＭＳ
１３１、２０１…通信部
１３２、２０２…データベース
１３３、２０３…算出部
１３４、２０４…制御部
１４０…負荷
２００…制御サーバ
【図１】
2020089200.tif 000004
【図２】
2020089200.tif 000005
【図３】
2020089200.tif 000006
【図４】
2020089200.tif 000007
【図５】
2020089200.tif 000008